(57)【要約】  小動物を確実に捕獲することができる小動物捕獲器を提供する。小動物を捕獲するための粘着剤が塗布されたシート部材１３に、基板１１から離反可能な可動部１５を設けたので、小動物は可動部１５の粘着剤の接着により足をとられて転倒しやすい。そして、転倒した小動物の足以外の部分が、基板１１に固定されているシート部材１３の粘着剤の接着、即ちシート部材１３の固定部１４により粘着されるので、従来のように足のみ粘着する場合とは異なり、足を踏ん張っても脱出することはできない。さらに、固定部１４の占める面積が可動部１５の面積よりも大きくなるように設けたので、仮に足を踏ん張ることができても、シート部材１３を基板１１から剥がしたり引きちぎったりすることができずに、小動物捕獲器１０から脱出することはできず、小動物を確実に捕獲することができる。
2009125753.tif 000002
【特許請求の範囲】
【請求項１】
板状の基板と、
当該基板の表面を覆うように積層状に設けられると共に、小動物を捕獲するための粘着剤が表面に塗布されたシート部材と、
を有する小動物捕獲器であって、
前記シート部材は、裏面において前記基板の表面に接合された固定部と、前記基板から離反可能な可動部と、を有し、そして
当該シート部材の表面積のうち、前記固定部の占める面積が前記可動部の占める面積よりも大きくなるように設けられている
ことを特徴とする小動物捕獲器。
【請求項２】
板状の基板と、
当該基板の表面の一部を覆うように積層状に設けられたシート部材と、
を有する小動物捕獲器であって、
前記基板の、前記シート部材を除く表面部分には、小動物を捕獲するための粘着剤が塗布された粘着表面部が設けられ、一方
前記シート部材の表面には、小動物を捕獲するための粘着剤が塗布されており、当該シート部材は、前記基板から離反可能な可動部を有し、そして
前記基板の表面積のうち、前記粘着表面部の占める面積が、前記可動部の占める面積よりも大きくなるように設けられている
ことを特徴とする小動物捕獲器。
【請求項３】
前記可動部が、前記シート部材の周縁部にわたって設けられている
ことを特徴とする請求項１又は２に記載の小動物捕獲器。
【請求項４】
前記可動部が、少なくとも前記シート部材の一端部に設けられている
ことを特徴とする請求項１又は２に記載の小動物捕獲器。
【請求項５】
壁に沿うように配置され使用されるとき、
前記可動部が、当該壁に対向する、前記シート部材の一端部に設けられている
ことを特徴とする請求項４に記載の小動物捕獲器。
【請求項６】
請求項１又は２に記載の小動物捕獲器を設置する際に、前記可動部を壁に沿うように配置することを特徴とする小動物捕獲器の設置方法。
【発明の詳細な説明】
【技術分野】
【０００１】
本発明は、基板の表面を覆うように積層状に設けられているシート部材の粘着剤によりネズミ等の小動物を接着して捕獲する小動物捕獲器に関する。
【背景技術】
【０００２】
従来から、粘着層にネズミ等の小動物を接着して捕獲する種々の小動物捕獲器が知られている（例えば特許文献１〜５参照）。【０００３】
特許文献１に記載の小動物捕獲器においては、板状のシート基板に、表面に粘着剤が塗布されたフィルムシートが取付けられており、シート基板の両端部に、巻き簀状におり曲がる折曲部が設けられている。また、特許文献２に記載の小動物捕獲器は、粘着層を有する浮動シートが少なくとも２点で基板上に連結（固定）されており、連結部以外の浮動シートは、容易に基板から浮動できるようになっているものである。そして、特許文献３に記載の小動物捕獲器は、粘着層が設けられたシートを、所定位置で基板に固定し、他の部分は基板に対して自由となっている。また、特許文献４に記載の小動物捕獲器においては、粘着層が設けられたフレキシブルシートが、連通孔により、基板に固定されている。
さらに、特許文献５では、餌をとりに来た小動物を、一方のみが開口した状態に閉じ込めてパニック状態とし、開口の外側に設けられている粘着剤板に追い込んで捕獲する小動物捕獲器が開示されている。
【先行技術文献】
【特許文献】
【０００４】
【特許文献１】特開２００７−１０４９１８６号公報
【特許文献２】特許第３８１６１６６号公報
【特許文献３】特開昭６１−１８５１４７号公報
【特許文献４】実用新案登録第２５５２８１３号公報
【特許文献５】特開平１０−４９号公報
【発明の概要】
【発明が解決しようとする課題】
【０００５】
ところで、ネズミ等の小動物は、台所の隅や食器棚の後ろ側等の掃除の行き届いていない暗所等を好んで行き来する性質を有し、足裏に埃や油を付着させている場合が多い。このため、粘着剤が塗布され、基板に固定されているシートの上を歩いても、小動物の足が十分に粘着せず、捕獲できない場合がある。特に、力の強い大型ネズミは、足が粘着面に粘着しても、正立している場合には強引にその粘着剤の接着状態から離脱して脱走してしまう場合がある。【０００６】
また、前述した特許文献４に記載されているようなフレキシブルシートを用いた場合においても、基板と粘着シートとの接合面積が小さいため、ネズミ等の小動物が転倒しても、自由度が高く、転倒後も大きく暴れられるようになっているため、脱出されるおそれがある。特に、大型ネズミ等の場合には、身体に接着している粘着シートを破壊し、あるいは、基板をつけたまま逃走するおそれがあった。【０００７】
本発明は、前述した問題点に鑑みてなされたものであり、その目的は、小動物を確実に捕獲することができる小動物捕獲器を提供することにある。
【課題を解決するための手段】
【０００８】
本発明の目的は、下記の構成により達成される。
（１）  板状の基板と、
当該基板の表面を覆うように積層状に設けられると共に、小動物を捕獲するための粘着剤が表面に塗布されたシート部材と、
を有する小動物捕獲器であって、
前記シート部材は、裏面において前記基板の表面に接合された固定部と、前記基板から離反可能な可動部と、を有し、そして
当該シート部材の表面積のうち、前記固定部の占める面積が前記可動部の占める面積よりも大きくなるように設けられている
ことを特徴とする小動物捕獲器。
（２）  板状の基板と、
当該基板の表面の一部を覆うように積層状に設けられたシート部材と、
を有する小動物捕獲器であって、
前記基板の、前記シート部材を除く表面部分には、小動物を捕獲するための粘着剤が塗布された粘着表面部が設けられ、一方
前記シート部材の表面には、小動物を捕獲するための粘着剤が塗布されており、当該シート部材は、前記基板から離反可能な可動部を有し、そして
前記基板の表面積のうち、前記粘着表面部の占める面積が、前記可動部の占める面積よりも大きくなるように設けられている
ことを特徴とする小動物捕獲器。
（３）  前記可動部が、前記シート部材の周縁部にわたって設けられている
ことを特徴とする上記（１）又は（２）の小動物捕獲器。
（４）  前記可動部が、少なくとも前記シート部材の一端部に設けられている
ことを特徴とする上記（１）又は（２）の小動物捕獲器。
（５）  壁に沿うように配置され使用されるとき、
前記可動部が、当該壁に対向する、前記シート部材の一端部に設けられている
ことを特徴とする上記（４）の小動物捕獲器。
（６）  上記（１）又は（２）に記載の前記小動物捕獲器を設置する際に、前記可動部を壁に沿うように配置することを特徴とする小動物捕獲器の設置方法。
【発明の効果】
【０００９】
上記（１）の構成によれば、小動物を捕獲するための粘着剤が塗布されたシート部材に、基板から離反可能な可動部を設けたので、小動物は可動部の粘着剤の接着により暴れているうちに足をとられて転倒しやすい。そして、転倒した小動物の足以外の部分が、基板に固定されているシート部材の粘着剤の接着、即ちシート部材の固定部により粘着されるので、従来のように足のみ粘着する場合とは異なり、足を踏ん張っても脱出することはできない。さらに、固定部の占める面積が可動部の占める面積よりも大きくなるように設けたので、仮に足を踏ん張ることができても、シート部材を基板から剥がしたり引きちぎったりすることができずに、小動物捕獲器から脱出することはできず、小動物を確実に捕獲することができる。
上記（２）の構成によれば、上記（１）の構成と同様に、基板に小動物を捕獲するための粘着剤が塗布され、小動物を捕獲するための粘着剤が塗布されたシート部材に、基板から離反可能な可動部を設けたので、小動物は可動部の粘着剤の接着により暴れているうちに足をとられて転倒しやすい。そして、転倒した小動物の足以外の部分が、基板の粘着剤に粘着されるので、従来のように足のみ粘着する場合とは異なり、足を踏ん張っても脱出することはできない。
上記（３）の構成によれば、基板から離反可能な可動部がシート部材の周縁部にわたって設けられているので、小動物が小動物捕獲器内に進入して小動物を粘着した際に、シート部材の可動部が基板から離反しやすく、小動物の足等に絡みやすくなる。
上記（４）の構成によれば、基板から離反可能な可動部がシート部材の一端部に設けられているので、小動物が小動物捕獲器内に進入して小動物を粘着した際に、シート部材の可動部が基板から離反しやすく、小動物の足等に絡みやすくなる。
上記（５）の構成によれば、基板から離反可能なシート部材の可動部を、ネズミ等の小動物の習性として通過しやすい壁際に沿って配置することにより、効率よく小動物を捕獲することができる。
上記（６）の方法によれば、基板から離反可能なシート部材の可動部を、ネズミ等の小動物の習性として通過しやすい壁際に沿って配置することにより、効率よく小動物を捕獲することができる。【００１０】
ここで、粘着剤としては、天然ゴム、ＳＢＲ（スチレンブタジエンラバー）等のゴム系粘着剤、アクリル酸エステル共重合体等のアクリル系粘着剤、シリコンゴム樹脂、塩化ビニル／酢酸ビニル共重合体、ポリビニルブチラート等のビニル系粘着剤等を挙げることができ、ゴム系粘着剤が好ましい。また、粘着剤の塗布量は、１００〜２０００ｇ／ｍ２が好ましい。【００１１】
基板の材質としては、厚紙、樹脂板、ベニヤ板等の薄板、金属板（アルミ、ブリキ等）、樹脂フィルムコート紙（樹脂をコートした厚紙）、また、これらの成型物等を挙げることができ、樹脂フィルムコート紙が好ましい。【００１２】
シート部材の材質としては、ポリエチレン、ポリエステル、ポリプロピレン等の樹脂シート、布、不織布、紙、紙又は不織布と樹脂フィルムとのラミネートフィルム等を挙げることができ、樹脂シートが好ましい。また、シート部材の厚みは、１０〜５００μｍが好ましい。
【図面の簡単な説明】
【００１３】
【図１】本発明の一実施形態に係る小動物捕獲器の外観斜視図である。
【図２】ネズミを捕獲するメカニズムを示す説明図である。
【図３】（Ａ）は本発明の変形例に係る小動物捕獲器の平面図である。（Ｂ）は（Ａ）中Ｂ−Ｂ位置の断面図である。
【図４】図３記載の小動物捕獲器を用いたときのネズミを捕獲するメカニズムを示す説明図である。
【図５】本発明の他の実施形態に係る小動物捕獲器の外観斜視図である。
【図６】本発明の更に他の実施形態に係る小動物捕獲器の外観斜視図である。
【図７】図６の実施形態の展開図である。
【図８】図６の実施形態の作業工程図である。
【図９】本発明の更に他の実施形態に係る小動物捕獲器の外観斜視図である。
【図１０】可動部の配置パターンの変形例の説明図である。
【図１１】ネズミを捕獲するメカニズムを示す写真であり、図２（Ｂ）に相当するものである。
【図１２】ネズミを捕獲するメカニズムを示す写真であり、図２（Ｃ）に相当するものである。
【図１３】ネズミを捕獲するメカニズムを示す写真であり、図２（Ｄ）に相当するものである。
【発明を実施するための形態】
【００１４】
以下、本発明に係る好適な実施形態について、図面を参照しながら説明する。
図１は本発明の一実施形態に係る小動物捕獲器の外観斜視図である。図２はネズミを捕獲するメカニズムを示す説明図である。
【００１５】
図１に示すように、本発明に係る一実施形態である小動物捕獲器１０は、板状の基板１１と、この基板１１を覆うように積層状に設けられると共に、表面１３ａに小動物（以降、「ネズミＭ」（図２参照）を例として説明する。）を捕獲するための粘着剤が塗布されたシート部材１３と、を有して構成されている。
【００１６】
基板１１は、厚紙やダンボール等の比較的頑丈な板材からなる、例えば矩形状の板状部材とすることができる。また、シート部材１３は、柔軟性があり、ネズミ（図２参照）Ｍにより容易にちぎられることのない強度を有するプラスチックシートやセロファンを用いることができる。
【００１７】
シート部材１３は、その裏面１３ｂにおいて基板１１の表面１１ａに接着（接合）された固定部１４と、固定部としても機能する中央支持部（後述）１７の両端部に連結され、且つ基板１１の表面１１ａに接着されておらず基板１１から離反可能な可動部１５と、を有している。
【００１８】
シート部材１３の表面積のうち、固定部１４の占める面積は、可動部１５の占める面積（可動部全体の面積）よりも大きく（５０％以上）なるように設けられている。可動部１５の面積は、１０ｃｍ２〜５００ｃｍ２であることが好ましいが、捕獲対象によって最適化される。例えばハツカネズミの場合、可動部１５の幅Ｗ１をＷ１＝２〜１５ｃｍ、固定部１４の幅Ｗ２をＷ２＝５〜５０ｃｍ、もう一辺の幅Ｗ３をＷ３＝７〜７０ｃｍで用いることができる。
【００１９】
また、シート部材１３の表面１３ａには、全面にわたって粘着剤が塗布されており、これによりシート部材１３上に粘着層１６が形成される。
【００２０】
そして、可動部１５は、その中央支持部１７を介して、図中左右に２分割された第１の可動部１５ａ及び第２の可動部１５ｂを有し、第１の可動部１５ａと第２の可動部１５ｂとは、中央支持部１７を連結部として基板１１からそれぞれ離反する。
中央支持部１７は基板１１と連結されていればよく、幅は制限されないが、可動部１５ａ，１５ｂはＷ１を短辺とする長方形になっていることが好ましい。
【００２１】
即ち、シート部材１３の裏面１３ｂは、一端部（図１において上端部）を除いて接着剤１８により基板１１の表面１１ａに接着されており、この接着された部分が基板１１に対し固定された固定部１４になっている。一方、その一端部においては、シート部材１３の裏面１３ｂが基板１１に接着されておらず、これにより、基板１１から離反可能な第１の可動部１５ａ及び第２の可動部１５ｂになっている。
したがって、本実施形態においては、シート部材１３は、固定部１４においては平板状の形態を維持し、一方、両可動部１５ａ，１５ｂにおいては基板１１から容易に離反して、自由な形状に変形することができるように構成されている。なお、中央支持部１７も同様に、シート部材１３の一部分をなして、固定部１４と同様に基板１１の表面１１ａに接着されている。
【００２２】
また、シート部材１３は、基板１１よりも小さい表面積を有するように形成されており、このため、シート部材１３の周囲に余白部１９が設けられる。また、基板１１の中央には、幅方向に横切る一対の折り目２０が設けられているとともに、折り目２０を介して左側の中央部、及び右側の中央部には、円筒形状をなす一対のスペーサ２１，２１がそれぞれ設けられている。
【００２３】
そして、小動物捕獲器１０は、折り目２０に沿って基板１１を内側に折り曲げることにより、捕獲された小動物を逃がさないように確実に粘着させると共に、衛生を確保した上で捕獲後に所定の位置に搬送することができる。また、スペーサ２１，２１は、この小動物捕獲器１０を、折り目２０に沿って基板１１を内側に折り曲げて保管する際に粘着層１６同士の接着を防止する機能を有している。
【００２４】
次に、ネズミＭを捕獲する動作について説明する。
図２（Ａ）に示すように、ネズミＭには壁５０に沿って走る習性があるため、前述した小動物捕獲器１０は、可動部１５が壁５０に沿うように配置され使用される。即ち、小動物捕獲器１０が壁５０に沿うように配置され使用されるとき、可動部１５が、壁５０に対向する、シート部材１３の一端部に位置するように、小動物捕獲器１０は構成されている。
【００２５】
また、図２（Ｂ）に示すように、ネズミＭが壁５０に沿って走ると、シート部材１３の例えば第１の可動部１５ａの上を通過する。このとき、図２（Ｃ）に示すように、ネズミＭは、第１の可動部１５ａの粘着層１６に足をとられるが、第１の可動部１５ａではシート部材１３が容易に上方へめくれて変形するので、もがけばもがくほどネズミＭはよろめいて転倒する。そして、図２（Ｄ）に示すように、転倒したネズミＭは、その身体の足以外の部分が固定部１４の粘着層１６に粘着されるので、足のみが粘着される場合に比して粘着層１６への粘着性をより高めることができ、ネズミＭを確実に捉えてその脱出を抑制することができる。このとき、固定部１４は、基板１１に確実に接着されているので、ネズミＭは基板１１上に捕獲されることになる。
図１１〜図１３にネズミを捕獲するメカニズムを示す実際の写真を示す。図１１は図２（Ｂ）に相当し、図１２は図２（Ｃ）に相当し、図１３は図２（Ｄ）に相当する。
【００２６】
次に、本発明に係る小動物捕獲器の変形例について説明する。
図３（Ａ）は本発明の変形例に係る小動物捕獲器の平面図である。図３（Ｂ）は図３（Ａ）中Ｂ−Ｂ位置の断面図である。図４はネズミを捕獲するメカニズムを示す説明図である。
【００２７】
図３に示すように、小動物捕獲器１０の変形例では、シート部材１３に、単一の可動部１５が形成されており、この可動部１５は、シート部材１３の一端部、即ち図３（Ａ）中の上端側全域において、シート部材１３の裏面１３ｂが基板１１に接着されておらず、基板１１から離反可能になっている。
【００２８】
図４（Ａ）に示すように、ネズミＭには壁５０に沿って走る習性があるため、前述した小動物捕獲器１０は、可動部１５が壁５０に沿うように配置され使用される。即ち、小動物捕獲器１０が壁５０に沿うように配置され使用されるとき、可動部１５が、壁５０に対向するシート部材１３の一端部に位置するように、小動物捕獲器１０は構成されている。
【００２９】
また、図４（Ｂ）に示すように、ネズミＭが壁５０に沿って走ると、シート部材１３の可動部１５の上を通過する。このとき、図４（Ｃ）に示すように、ネズミＭは、可動部１５の粘着層１６に足をとられるが、可動部１５ではシート部材１３が容易に上方へめくれて変形するので、もがけばもがくほどネズミＭはよろめいて転倒する。そして、図４（Ｄ）に示すように、転倒したネズミＭは、その身体の足以外の部分が固定部１４の粘着層１６に粘着されるので、足が粘着される場合に比して粘着層１６への粘着性をより高めることができ、ネズミＭを確実に捉えてその脱出を抑制することができる。このとき、固定部１４は、基板１１に確実に接着されているので、ネズミＭは基板１１上に捕獲されることになる。
【００３０】
以上、説明したとおり、小動物捕獲器１０によれば、ネズミＭを捕獲するための粘着剤が塗布されたシート部材１３に、基板１１から離反可能な可動部１５を設けたので、ネズミＭは可動部１５の粘着剤の接着により足をとられて転倒しやすい。そして、転倒したネズミＭの足以外の部分が、基板１１に固定されているシート部材１３の粘着剤、即ちシート部材１３の固定部１４により粘着されるので、従来のように足のみ粘着する場合とは異なり、足を踏ん張っても脱出することはできない。さらに、固定部１４の占める面積が可動部１５の占める面積よりも大きくなるように設けたので、仮に足を踏ん張ることができても、シート部材１３を基板１１から剥がしたり引きちぎったりすることができずに、小動物捕獲器１０から脱出することはできず、ネズミＭを確実に捕獲することができる。
【００３１】
また、本実施形態によれば、基板１１から離反可能な可動部１５がシート部材１３の一端部に設けられているので、ネズミＭが小動物捕獲器１０内に進入して粘着された際に、シート部材１３の可動部１５が基板１１から離反しやすく、ネズミＭの足等に絡みやすくなる。さらに、その一端部に設けられた、シート部材１３の可動部１５を、ネズミＭの習性として通過しやすい壁５０際に沿って配置することにより、効率よくネズミＭを捕獲することができる。
【００３２】
なお、本発明の小動物捕獲器は、前述した実施形態に限定されるものでなく、適宜、変形、改良等が可能である。
例えば、前述した実施形態では、固定部１４と可動部１５とが一枚のシート部材１３に形成されているとして図示して説明したが、固定部１４と可動部１５とをそれぞれ別のシート部材に形成して基板１１に貼り付けて、前述したシート部材１３と同様に形成することもできる。
また、他の実施形態としては、図５に示すように、固定部１４が設けられる基板１１の表面部において、シート部材１３の固定部１４を設けず、その代わりに、その部分に基板１１の上面に直接粘着剤を直接塗布して粘着層１６を有した粘着表面部６０を形成することもできる。なお、このときには、基板１１の表面積のうち、この粘着表面部６０の占める面積が、可動部１５の占める面積よりも大きくなる（５０％以上）ように設けられ、この場合にも、前述の実施形態と同様な効果を得ることができる。
さらに、可動部１５をシート部材１３の一端部に設けた場合について説明したが、図１０（Ａ）、（Ｂ）のように他の端部に可動部１５を設けるようにしてもよく、或いは図１０（Ｃ）のように固定部１４をシート部材１３の中央部に配設してシート部材１３の周縁部にわたって、可動部１５を設けるようにしてもよい。なお、図１０の斜線部は固定部１４を示す。この場合においても、少なくとも一つの可動部１５が壁５０際に位置するように小動物捕獲器１０をセットすることにより、小動物が小動物捕獲器１０内に進入して粘着された際に、シート部材１３の可動部１５が基板から離反しやすく、小動物の足等に絡みやすくなる。
【００３３】
図６は更に他の実施形態の斜視図であり、図７はその展開図であり、図８はその作業工程図である。なお、前述の実施形態と同じ部材には同じ符号を付し、その説明は省略あるいは簡略化する。
【００３４】
基板１１は図７において上部及び下部の辺に折り返し部７０が形成されており、折り返し部７０は左右方向の中央部及び両端近傍が部分的に切り欠かれて切欠部７２が形成されている。図７における基板１１の上部の辺に沿って、中央の固定部１４とその両側の可動部１５ａ，１５ｂとを有するシート部材１３が設けられている。固定部１４は基板１１に固着されている。そして、左右の切欠部７２を利用して、剥離可能なシール部材７４により可動部１５ａ，１５ｂが基板１１に一時的に仮止めされている。折り返し部７０は可動部１５ａ，１５ｂの上縁部を被覆するように折り返されており、シール部材７４を剥がすときには、折り返し部７０を基板１１に押さえつけることで可動部１５ａ，１５ｂを押さえて固定することができ、シール部材７４の剥離が容易になる。また、シール部材７４を剥離させる際に、シート部材１３が持ち上がらないのではがしやすく粘着剤が手や衣服につきにくい。
【００３５】
基板１１の表面及びシート部材１３の表面には前述の実施形態と同様に粘着層１６が設けられている。
図６に示したように、基板１１は折り目２０で折りたたむことができ、使用前は中央部を境に折りたたまれている。基板１１の左右方向両端部には展開時の操作を行う操作部７６が設けられている。操作部７６は折り目２０で基板１１に対して折りたたむことができる。使用前に基板１１を折りたたんだ状態で、折りたたまれた基板１１内に外部から紙片等の異物が入っても、折り返し部７０があることにより、シート部材１３及び基板１１の粘着層１６に紙片等の異物が触れにくくなっている。
【００３６】
可動部１５ａ，１５ｂに設けられた第１のスペーサ２１は、基板１１を折りたたんだ状態で、基板１１及び可動部１５の左右の粘着層１６どうしが接触するのを防止している。このために、第１のスペーサ２１は可動部１５ａ，１５ｂ上の粘着層１６よりも突出して設けられており、基板１１を折りたたんだときに第１のスペーサ２１どうしが当接することで粘着層１６どうしの間に空隙が確保される。また、基板１１に設けられた第２のスペーサ２１ａは、基板１１の両側の操作部７６を折りたたんだときに操作部７６が当接することで、操作部７６が粘着層１６に接触するのを防止している。このために、第２のスペーサ２１ａは基板１１上の粘着層１６よりも突出して設けられており、操作部７６を折りたたんだときに折り返した台紙をはさみながら第２のスペーサ２１ａに当接することで粘着層１６との間に空隙が確保される。スペーサの形状・個数・大きさはこれに限らず、少なくとも１個以上あればよく、好ましくは２個以上を粘着面に均等に配置するのがよい。
【００３７】
使用に際しては、図７に示すように基板１１を展開した状態で、図８（Ａ）及び（Ｂ）に示すように一方の手でシール部材７４の近傍の折り返し部７０を押さえて他方の手でシール部材７４を剥がし、可動部１５ａ，１５ｂの端部が動けるようにする。なお、シール部材７４を剥がす方向を明確にするために、「ここから剥がす」等の文字や、矢印等の指標をシール部材７４に付与しておくことが好ましい。
【００３８】
可動部１５ａ，１５ｂの仮止めが解除されて可動部１５ａ，１５ｂが動くようになった状態で、基板１１は操作部７６も含めて全体を平坦にされて設置される。
この際、前述の実施形態と同様に、可動部１５ａ，１５ｂの側を壁面に沿って配置することが好ましい。そのため、可動部１５ａ，１５ｂの近傍の折り返し部７０には、壁側に配置することを指示するような「こちらを壁側にする」等の文字や矢印等の指標を付与しておくことが好ましい。
【００３９】
この場合においても、少なくとも一つの可動部１５ａ，１５ｂが壁際に位置するように小動物捕獲器１０をセットすることにより、小動物が小動物捕獲器１０内に進入しやすく、粘着された際に、シート部材１３の可動部１５ａ，１５ｂが基板１１から離反しやすく、小動物の足等に絡みやすくなる。
【００４０】
小動物捕獲器１０は、使用前の状態では折りたたまれ、シート部材１３の可動部１５ａ，１５ｂがシール部材７４により仮止めされているので、搬送中にシート部材１３が基板１１に接した状態が維持され、可動部１５ａ，１５ｂが互いに接着することがなく、搬送性に優れている。また、折り返し部７０があることで、折りたたまれた状態で、紙片等が中に入り込んでも、粘着剤が紙片等に不測に付着することを防止できる。更に、シール部材７４を剥がすだけでシート部材１３の可動部１５ａ，１５ｂを可動にすることができるので、作業性に優れている。
上述した本発明の小動物捕獲器は、適宜、誘引剤を設置して捕獲効率を高めることができる。誘引剤は、スペーサに練り込んだり、別に顆粒、タブレット、オイルとして、そのまま袋に入れるなどして設置してもよい。誘引剤の例としてはピーナッツオイル、シーズニングオイル、チーズ、ゴマ油、カスタードクリームなどが挙げられる。
【００４１】
さらに本発明の他の実施形態について説明する。図９（Ａ）、（Ｂ）は、他の実施形態の斜視図である。なお、前述の実施形態と同じ部材には同じ符号を付し、その説明は省略あるいは簡略化する。この実施形態は、図１に示した実施形態に屋根部材１００を追加して設けた構成である。小動物捕獲器１１０に屋根部材１００が設けられていることにより、粘着層１６に塵埃が付着するのを防止することができ、粘着層における粘着力の低下を防止することができる。
屋根部材１００の材料は、取り扱い及び廃棄の点から紙であることが好ましいが、プラスチック、金属等の材料であってもよい。
【００４２】
屋根部材１００の形状は任意であるが、図９（Ａ），（Ｂ）に示すように、可動部１５側の面１２０は基板１１に対して垂直であることが好ましい。これにより、屋根部材１００の可動部１５側の面１２０が設置部における側壁に密接するように、小動物捕獲器１１０を設置することができる。
また、図９（Ｂ）に示すように、屋根部材１００の側部には、可動部１５側のみに開口１２４を有する側壁１２２が設けられることが好ましい。これにより、小動物を開口１２４から可動部１５に確実に誘導することができる。また、小動物捕獲器１１０を壁に密着させなくても小動物を開口１２４から可動部１５に誘導することができる。開口１２４の大きさは小動物が入ることができればよく、限定されない。
また、図９の屋根部材１００は側方から見た形状が台形であるが、屋根部材１００の形状は台形状に限らない。
【００４３】
本発明の小動物捕獲器で捕獲する対象は、ドブネズミ、ハツカネズミ、クマネズミなどのネズミ類等を挙げることができる。
【００４４】
（実施例）
次に、小動物捕獲器１０の具体例について説明する。
図１に示す小動物捕獲器１０において、シート部材１３としてＯＰＰ｛Ｏｒｉｅｎｔｅｄ  Ｐｏｌｙｐｒｏ  Ｐｙｌｅｎｅ（２軸延伸ポリプロピレン）｝を用い、可動部１５の幅を  Ｗ１＝７ｃｍ、固定部１４の幅を  Ｗ２＝１４ｃｍ、もう一辺の幅を  Ｗ３＝２７ｃｍ、中央支持部１７の幅を３．５ｃｍとした（図１参照）。また、シート部材１３（少なくとも可動部１５）の厚さを、５０μｍ、１００μｍとして、同じ粘着剤（具体的には、ポリブテンを主成分とする粘着剤、商品名：エバータック−ＳＡ３１０Ｅ  新日本石油化学社製）を８００ｇ／ｍ２で塗布して粘着層１６を形成した（表１参照）。この小動物捕獲器を、塩化ビニル樹脂製の容器（長さ１００ｃｍ、幅１００ｃｍ、高さ８０ｃｍ）内の床面に可動部１５が壁に沿うように設置し、容器内にネズミＭ（体重２００〜３００ｇのドブネズミ）を放ち、走り抜け防止、捕獲実験を行った。
【００４５】
【表１】
2009125753.tif 000003
【００４６】
表１に示す２つのいずれの場合においても、第１実施形態のようにシート部材１３を一部可動式にしたもの（実施例１）と、シート部材を全可動式（比較例１）にしたもの及びシート部材を固定式（比較例２）にしたものと、において、ネズミＭ（体重２００〜３００ｇのドブネズミ）の捕獲の有無の比較試験を行った。この結果を表２に示す。表中、○は走り抜けを防止できたこと、捕獲できたことを示し、×は走り抜けたこと、捕獲できなかったことを示す。
【００４７】
【表２】
2009125753.tif 000004
【００４８】
表２の実施例１に示すとおり可動部１５を走り抜けて逃走したネズミＭは確認されなかった。また、表２により明らかなように、シート部材を全可動式（比較例１）にしたもの及びシート部材を固定式（比較例２）にしたものに比べて、シート部材１３を一部可動式にしたもの（実施例１）の方がネズミＭの走り抜けを防止し、捕獲に優れることがわかる。これにより、ネズミＭを確実に捕獲できることがわかった。
【００４９】
次に、ネズミＭ（体重２００〜３００ｇのドブネズミ）に水や粉が付着した条件で同様に試験を行った。
ドブネズミの前処理（小麦粉付着）
１．ネズミＭを水深１ｃｍの水に漬けて、足、腹部、しっぽを濡らした。
２．小麦粉の上を歩かせ、足、腹部、しっぽに小麦粉が付着したことを確認して試験に用いた。
上記と同じ条件下で、容器内に小動物捕獲器を可動部１５が壁に沿うように設置してネズミＭを放った。なお、本試験で用いた小動物捕獲器はシート部材として厚さ１００μｍのＣＰＰフィルム（無延伸ポリプロピレン）を使用し、可動部１５の幅をＷ１＝８ｃｍ、固定部１４の幅をＷ２＝１０ｃｍ、もう一辺の幅をＷ３＝２３ｃｍ、中央支持部１７の幅を３．５ｃｍとした。ポリブデンを主成分とする粘着剤を８００ｇ／ｍ２で塗布して粘着層を形成した。４頭のネズミＭについて同じ実験を行った。比較例としては、同じ粘着層を有するシート部材が全面固定されたものを用いた。評価は、ネズミＭが捕獲器を走り抜けることができずに捕獲されるか否かを判断した。結果を表３に示す。表中、○は捕獲できたこと、×は捕獲できなかったことを示す。
【００５０】
【表３】
2009125753.tif 000005
【００５１】
この結果、表３に示したとおり、本発明の小動物捕獲器（実施例２）は、ネズミＭの足に付着物があり、粘着性能が十分に発揮できない場合でも、シート部材が容易に持ち上がってネズミＭに絡みつくことで走り抜けることができず確実に捕獲できることが分かった。同じ条件の実験を４回行った結果、４回とも同じ結果となり、結果に再現性があることを確認できた。これに対し、比較例では、３頭目、４頭目のネズミＭはトラップされずに走り抜けてしまい、捕獲力が不十分であることが分かった。
【００５２】
本発明を詳細にまた特定の実施態様を参照して説明したが、本発明の精神と範囲を逸脱することなく様々な変更や修正を加えることができることは当業者にとって明らかである。
【００５３】
本出願は、２００８年４月７日出願の日本特許出願（特願２００８−０９９１７１）、２００９年１月１６日出願の日本特許出願（特願２００９−００７４７１）、に基づくものであり、その内容はここに参照として取り込まれる。
【符号の説明】
【００５４】
１０    小動物捕獲器
１１    基板
１１ａ  表面
１３    シート部材
１３ａ  表面
１３ｂ  裏面
１４    固定部
１５    可動部
１５ａ  第１の可動部（可動部）
１５ｂ  第２の可動部（可動部)
１６    粘着層
５０    壁
６０    粘着表面部
【図１】
2009125753.tif 000006
【図２】
2009125753.tif 000007
【図３】
2009125753.tif 000008
【図４】
2009125753.tif 000009
【図５】
2009125753.tif 000010
【図６】
2009125753.tif 000011
【図７】
2009125753.tif 000012
【図８】
2009125753.tif 000013
【図９】
2009125753.tif 000014
【図１０】
2009125753.tif 000015
【図１１】
2009125753.tif 000016
【図１２】
2009125753.tif 000017
【図１３】
2009125753.tif 000018
【国際調査報告】
2009125753.tif 000019
2009125753.tif 000020
2009125753.tif 000021
2009125753.tif 000022